(57)【要約】【課題】磁場均一性を向上させ、うず電流及び漏洩磁場の発生を最小限にし、かつＭＲＩシステム設計構成の柔軟性を向上させた改良型のＭＲＩシステムを提供する。【解決手段】磁気共鳴イメージング・システム（１０）は静磁場を発生させる超伝導マグネット（１４）を含んでいる。対応する患者ボア・エンクロージャ（１８）及び傾斜コイル（５２）を有する傾斜コイル・アセンブリ（５０）によって患者ボア（１８）内に傾斜磁場を発生させている。超伝導マグネット（１４）と患者ボア（１８）の間に静磁場成形コイル（１１）を位置させて静磁場を補助している。【選択図】      図１
2005152632.tif 000002
【特許請求の範囲】
【請求項１】
静磁場を発生させる少なくとも１つの超伝導マグネット（１４）と、
少なくとも１つの傾斜磁場を発生させる少なくとも１つの傾斜コイル（５２）を備えた対応する患者ボア・エンクロージャ（１８）を有する傾斜コイル・アセンブリ（５０）と、
前記少なくとも１つの超伝導マグネット（１４）と前記患者ボア・エンクロージャ（１８）の間に位置すると共に前記静磁場を補助している少なくとも１つの静磁場成形コイル（１１）と、
を備える磁気共鳴イメージング・システム（１０）。
【請求項２】
前記少なくとも１つの超伝導マグネット（１４）は少なくとも１つの熱シールドを有するクライオスタット（２８）の内部に位置しており、前記少なくとも１つの静磁場成形コイル（１１）は前記少なくとも１つの熱シールドと前記患者ボア・エンクロージャ（１８）の間に位置している請求項１に記載のシステム（１０）。
【請求項３】
該磁気共鳴イメージング・システム（１０）の内部に発生させたパルスシーケンスを補償する少なくとも１つの傾斜シールドコイル（５４）をさらに備える請求項１に記載のシステム（１０）。
【請求項４】
前記少なくとも１つの傾斜シールドコイル（５４）は前記少なくとも１つの超伝導マグネット（１４）と前記傾斜コイル・アセンブリ（５０）の間に位置している請求項３に記載のシステム（１０）。
【請求項５】
前記少なくとも１つの静磁場成形コイル（２４）は前記少なくとも１つの傾斜シールドコイル（５４）と前記患者ボア・エンクロージャ（１８）の間に位置している請求項３に記載のシステム（１０）。
【請求項６】
該磁気共鳴イメージング・システム（１０）のマグネット構造（１３）の内部に位置している静磁場成形コイル・ハウジング（２４）をさらに備えており、前記少なくとも１つの静磁場成形コイル（１１）は前記静磁場成形コイル・ハウジング（２４）の内部に位置している請求項１に記載のシステム（１０）。
【請求項７】
前記静磁場成形コイル・ハウジング（２４）はその内部にうず電流の誘導を防止する材料から形成されている請求項６に記載のシステム（１０）。
【請求項８】
前記静磁場成形コイル・ハウジング（２４）は冷却剤（３２）を備えている請求項６に記載のシステム（１０）。
【請求項９】
前記少なくとも１つの静磁場成形コイル（１１）は少なくとも１つの低温超伝導体を備えている請求項１に記載のシステム（１０）。
【請求項１０】
前記少なくとも１つの静磁場成形コイル（１１）は前記少なくとも１つの傾斜コイル・アセンブリ（５０）から誘導性に分離されている請求項１に記載のシステム（１０）。
【発明の詳細な説明】
【技術分野】
【０００１】
本発明は、全般的には磁気共鳴イメージング（ＭＲＩ）システムに関し、さらに詳細には、極めて均一な静磁場を発生させるためのシステムに関する。
【背景技術】
【０００２】
磁気共鳴イメージング（ＭＲＩ）システムは一般に、円筒状アーキテクチャまたは開放アーキテクチャのいずれかの構成となっている。円筒状と開放型のいずれのアーキテクチャ構成とも、時間的に一定の１次磁場を発生させる超伝導マグネットを含んでいる。この超伝導マグネットは、超伝導マグネットを冷却すると共にその動作温度を維持しているクライオスタットの内部に位置している。超伝導体の温度は、低温超伝導体では概ね４〜１０°Ｋに、また高温超伝導体では概ね２０〜８０°Ｋに維持されている。このクライオスタットは、典型的には幾つかの熱シールドの内部に包含されている。
【０００３】
超伝導マグネットは、ＭＲＩデータ収集シーケンス中に主磁場内に一連の制御式傾斜を生成するように連続式パルス動作を受けている第１組の磁場傾斜コイルと組み合わせて使用される。これら超伝導マグネット及び磁場傾斜コイル・アセンブリは、磁場傾斜コイル・アセンブリの円周方向内側上に無線周波数（ＲＦ）コイルを有している。制御式の連続傾斜は、１つまたは複数のＲＦコイルすなわちアンテナとＲＦシールドとに結合された患者ボアの患者撮像ボリューム全体にわたって実現されている。このＲＦコイルとＲＦシールドは、典型的には、磁場傾斜コイル・アセンブリと患者ボアの間に配置されている。
【０００４】
典型的なＭＲＩの一部として、適当な周波数をもつＲＦ信号が患者ボア内に送信される。次いで、ＲＦコイルを介して患者から核磁気共鳴（ｎＭＲ）応答ＲＦ信号が受信される。受信したＲＦ信号の周波数及び位相パラメータ範囲内でエンコードされた情報は、ＲＦ回路を使用することによって処理されて視覚的画像が形成される。これらの視覚的画像は患者の断面またはボリューム内におけるｎＭＲ原子核の分布を表している。
【０００５】
傾斜コイルが電気的なパルス動作を受けると、この傾斜コイルを囲繞する導電性の円筒のうちの任意の円筒内に生じた時間変化する磁束によってうず電流が誘導される。次いでこれらのうず電流によってそれ自体の磁場が生成され、これによって空間的かつ時間的に所望の傾斜磁場の品質が劣化する。クライオスタットと第１組の傾斜コイルとの間には、典型的には、ＭＲＩイメージングでルーチンに使用される積極性のパルスシーケンスを補償するために、傾斜シールドコイルと呼ばれることがある第２組の傾斜コイルが組み込まれている。この傾斜シールドコイルは熱シールドなどの導電性部材と第１組の傾斜コイルとの間の相互インダクタンス量を減少させ、またこれによって発生するうず電流の量を減少させる。
【０００６】
さらに、ＭＲイメージングでは、良好な品質の画像を作成するために極めて均一な磁場が要求される。撮像品質を高めるためには、磁場の強度を大きくすることが望ましい。磁場強度を大きくすると、漏洩ＭＲ磁場が大きくなる。したがって、ＭＲＩ室の外にいる人に対する磁場の影響を最小限にするか該影響を防止するためにこの漏洩ＭＲ磁場を指定したレベル未満に維持させると、その磁場強度に制限が生じる。この磁場を最小限にするために、ＭＲＩ室を周囲環境からシールドすることがあるが、こうしたシールドは高価であり実用的でないことがある。
【０００７】
例えば、典型的な０．５テスラの開放型超伝導マグネットは概ね１００，０００立方センチメートルの超伝導体を有している。この超伝導マグネットは、概ね６０ｃｍのコイル対コイルのギャップを有しており、これにより担当医がアクセスするための概ね５０ｃｍの室温ギャップが得られる。介入手技にとって５５ｃｍの室温ギャップが受容可能な最小値であることが知られている。このため、これまでのＭＲＩシステム設計はこの受容可能な最小ギャップ要件や最小漏洩磁場要件を満足しておらず、また所望の静磁場均一性を提供していない。
【０００８】
周知のシステム設計方法を用いて極めて均一な磁場を発生させかつ介入手技のための担当医のアクセスを大幅に改善させるように従来の開放型マグネット設計のマグネットを構築することは実現可能でない。従来設計の超伝導マグネットで上述した設計制約を満足させたとすると、概ね３９２，０００立方センチメートルの超伝導体を有すると共に、磁気力が対応して増大することになり、これは明らかに構築が実現不可能である。円筒状のＭＲＩシステム設計、特に「短縮型（Ｓｈｏｒｔ）」やよりコンパクト型の設計に関しても同様に実現不可能となる。
【特許文献１】米国特許第５２２５７８２号
【発明の開示】
【発明が解決しようとする課題】
【０００９】
したがって、磁場均一性の向上を提供し、うず電流及び漏洩磁場の発生を最小限にし、かつＭＲＩシステム設計構成の柔軟性を向上させている改良型のＭＲＩシステムが必要とされている。
【課題を解決するための手段】
【００１０】
本発明は、静磁場を発生させる超伝導マグネットを含んだ磁気共鳴イメージング（ＭＲＩ）システムを提供する。対応する患者ボア・エンクロージャ及び傾斜コイルを備える傾斜コイル・アセンブリによって傾斜磁場を発生させている。超伝導マグネットと患者ボア・エンクロージャの間に静磁場成形コイルを位置させて静磁場を補助している。この静磁場成形コイルは高温超伝導体から製作する場合や低温超伝導体から製作する場合がある。
【００１１】
本発明の実施形態により幾つかの利点が提供される。本発明の一実施形態によって提供される１つの利点は、補助的な静磁場成形コイルの使用を取り込んでいるＭＲＩシステムの提供である。この磁場成形コイルは、パルス式傾斜コイルによる望ましくないうず電流加熱の発生を最小限にする一方で、静磁場の強度及び均一性を増大させている。この磁場成形コイルは、パルス式傾斜コイルから非シールドとし、これにより設計要件及びこれに関連するコストを最小限にすることができる。
【００１２】
本発明の一実施形態によって提供される別の利点は、ＭＲＩシステムの内部へのうず電流の誘導をさらに小さくする補助静磁場成形コイル・ハウジングの提供である。
【００１３】
本発明はさらに、円筒状アーキテクチャ構成のＭＲＩシステムと開放アーキテクチャ構成のＭＲＩシステムの両者、並びに別の構成としたＭＲＩシステムに関して設計の柔軟性を高める複数の超伝導マグネット様式、マグネット配列、及び冷却構成を提供する。
【００１４】
本発明自体、並びに付随する利点は、添付の図面に関連して取り上げた以下の詳細な説明を参照することによって最良に理解されよう。
【発明を実施するための最良の形態】
【００１５】
本発明をより完全に理解するためにここで、添付の図面でより詳細に図示しかつ本発明の一例として以下に記載した実施形態を参照すべきである。
【００１６】
以下の図面の各々において、同じ構成要素を指し示すためには同じ参照番号を使用している。本発明を極めて均一な静磁場を発生させるためのシステムに関して記載しているが、本発明は磁気共鳴イメージング（ＭＲＩ）システム、ＭＲ分光システム、及びその他の用途を含め様々なシステムに適用することができる。本発明は円筒状アーキテクチャ様式と開放アーキテクチャ様式の両方のＭＲＩシステムに適用することができる。
【００１７】
以下の説明では、構成させたある実施形態に関する様々な動作パラメータ及び構成要素について記載している。これら特定のパラメータ及び構成要素は例として含めたものであり、限定を意味するものではない。
【００１８】
ここで図１を参照すると、補助的な静磁場成形コイル１１の使用を取り込んでおりかつ冷却のために冷却剤容器１２を使用している本発明の一実施形態に従ったＭＲＩシステム１０のブロック図を表している。ＭＲＩシステム１０は、複数の超伝導磁場コイル１６を備えた超伝導マグネット１４を有する静止マグネット構造１３を含んでいる。この磁場成形コイル１１と磁場コイル１６は、患者ボア１８の長手方向ｚ軸に沿って時間と共に一定の磁場を発生させている。この磁場成形コイル１１と超伝導コイル１６は高温コイルから形成させることや低温コイルから形成させることがある。
【００１９】
簡略とするために本発明を円筒状アーキテクチャの静止マグネット構造１３に関して主に記載しているが、本発明はＭＲＩシステムの別の様々なアーキテクチャにも適用することができる。以下では、円筒構造を有する静止マグネット構造１３及び開放型アーキテクチャを有する別の静止マグネット構造（図示せず）に関する図４及び６の実施形態に関連する電流エリア図について記載している。
【００２０】
磁場成形コイル１１は正のコイル２０と負のコイル２２を含んでいる。磁場成形コイル１１は、超伝導マグネット１４が発生させた静磁場と連携して動作し、かつこれを補助している。磁場成形コイル１１は、超伝導磁場コイル１６と比べ、大きさが概ね１０分の１であり、かつ患者ボア１８により近づけて位置させている。磁場成形コイル１１の大きさがより小さく、このため磁場成形コイル１１内の導体量が少ないため、傾斜コイル５２が磁場成形コイル１１内に発生させるうず電流加熱が最小限となる。このため、磁場成形コイル１１は、図に示すように傾斜コイル５２による変動する磁場から非シールドとすることができる。さらに、磁場成形コイル１１を通過する電流は超伝導磁場コイル１６を通過する電流と比べてかなり小さいが、患者ボア１８に対して磁場成形コイル１１の方がより近くにあるため、これによって静磁場の均一性の大幅な向上が提供される。磁場成形コイルをある具体的な数だけ図示しているが、任意の数の磁場成形コイルを利用することができる。所望により、負のコイル２２のうちの幾つかを鉄製のリングに置き換えることができる。
【００２１】
磁場成形コイル１１は静磁場成形コイル・ハウジング２４の内部に位置していると共に、磁場成形コイル巻型２６によって支持されている。超伝導マグネット・コイル１６はクライオスタット２８の内部に位置していると共に、超伝導マグネット・コイル支持構造すなわち巻型３０によって支持されている。磁場成形コイル巻型２６及び超伝導マグネット巻型３０によって、静止荷重に対する支持が提供されると共に、磁場成形コイル１１及び主磁場コイル１６に対する製作及び正確な配置が可能となる。ハウジング２４とクライオスタット２８の両者は、環状ヘリウム容器の形態とすることや、当技術分野で周知の何らかの別の形態とすることができる。
【００２２】
ハウジング２４及びクライオスタット２８は冷却を受けることがあり、また液体ヘリウム、液体水素、液体窒素、液体ネオン、または当技術分野で周知の何らかの別の冷却剤などの冷却剤３２を包含することがある。ハウジング２４は、それに伴ったうず電流の誘導及びうず電流の発生を防止するために非金属や複合材料から形成されることがある。これについては以下でさらに詳細に記載することにする。ハウジング２４及びクライオスタット２８は、クライオクーラ４１と結合させている。クライオクーラ４１は、ハウジング２４及びクライオスタット２８を適正な動作温度に維持している。クライオスタット２８は、主磁場シールドコイル・アセンブリ４０を含んでいる。クライオクーラ４１は、マグネット構造１３から分離してこれの外部に位置決めし、さらに振動誘導性のうず電流の発生を防止することがある。
【００２３】
磁場成形コイル１１及び超伝導マグネット１４が冷媒浴を使用して冷却を受けるように図示しているが、これらは図２の実施形態に関連して記載するように伝導や対流を使用して冷却されることがあり、あるいは当技術分野で周知の別の技法を用いて冷却されることもある。
【００２４】
主磁場シールドコイル・アセンブリ４０は、超伝導マグネット・コイル１６が発生させる磁場と反対向きの磁場を発生させている。「ボイルオフ（ｂｏｉｌ−ｏｆｆ）」を低減させるため第１のシールド４２によってクライオスタットを囲繞している。この第１のシールド４２を囲繞するように第２のシールド４４を使用することがある。第１のシールド４２と第２のシールド４４の両者は機械式の冷却によって冷却することがある。
【００２５】
超伝導マグネット１４と患者ボア１８の間には磁場傾斜コイル・アセンブリ５０を配置している。この傾斜コイル・アセンブリ５０は、傾斜磁場を発生させるアクティブ傾斜コイル５２と、ＭＲイメージングにおいてルーチンで使用される積極性のパルスシーケンスを補償するための傾斜シールドコイル５４と、を含んでいる。このアクティブ傾斜コイル５２は磁場成形コイル１１と患者ボア１８の間に位置させることがある。シールドコイル５４は磁場成形コイル１１と超伝導マグネット１４の間に位置させている。
【００２６】
患者ボア１８は、その内部にＲＦコイル・アセンブリ（図示せず）を装着させて有している。ＲＦコイル・アセンブリは、１次ＲＦコイル及びＲＦシールドを含むことがある。ＲＦ送信器６４は、シーケンス制御装置６６及びＲＦコイル・アセンブリに接続されている。シーケンス制御装置６６は、磁場傾斜コイル・アセンブリ５０に接続された傾斜コイル制御装置７０を介して一連の電流パルス発生装置６８を制御している。ＲＦ送信器６４は、患者ボア１８の内部にある対象の一部分のうちの選択された双極子において磁気共鳴を励起し調整するために、シーケンス制御装置６６と連携して無線周波数信号のパルスを発生させている。
【００２７】
１次ＲＦコイル６２には、対象または撮像ボリューム７３のうちの検査対象部分から放出された磁気共鳴信号を復調するための無線周波数受信器７２が接続されている。画像再構成装置７４は、受信した磁気共鳴信号を電子画像表現に再構成させており、これが画像メモリ７６内に保存される。ビデオ・プロセッサ７８は、この保存された電子画像をビデオ・モニタ７９上での表示に適した形式に変換している。
【００２８】
ここで図２を参照すると、磁場成形コイル１１の使用を取り込みかつ伝導または対流冷却を使用している本発明の一実施形態に従った静止マグネット構造１３’を有する第２のＭＲＩシステム１０’を表している。磁場成形コイル１１は、冷却剤容器の内部に位置させるのではなく、複数の冷却用チューブ９０に結合させるか、これらと隣接させている。冷却用チューブ９０はクライオクーラ４１に結合されている。冷却用チューブ９０の内部にある冷却剤９２は、巻型２６とクライオクーラ４１の間を循環する。磁場成形コイル１１内の熱エネルギーは冷却剤９２に移動する。冷却用チューブ９０は、ステンレス鋼、複合材料、あるいは何らかの別の低伝導率材料やうず電流がない材料から形成させることができる。
【００２９】
ここで図３を参照すると、円筒状のアーキテクチャを有する典型的な１．５テスラＭＲＩシステムに関する超伝導マグネット構造１００及び撮像ボリューム１０２の断面電流エリア図を表している。垂直軸は半径Ｒ（単位センチメートル）であり、また水平軸はＺ（単位は同じくセンチメートル）である。超伝導マグネット構造１００の大きさは、静磁場に対して所望の均一性を提供するように概ね１１８，５６２立方センチメートルである。正のエリア１０４は、超伝導マグネット構造１００の超伝導コイルの正の電流エリアに対応する。負のエリア１０６は、超伝導マグネット構造１００の超伝導コイルの負の電流エリアに対応する。正のエリア１０４と負のエリア１０６は、これらの内部に発生する電磁気力に正比例する。多角形の形状をした影付きエリア１０８は傾斜コイルを表している。エリア１０４及び１０６によって表している超伝導コイルを通過する電流の量は望ましいものではなく、またこの超伝導マグネット構造１００の大きさも製造上実現不可能なものである。
【００３０】
ここで図４を参照すると、本発明の一実施形態に従った図１の超伝導マグネット構造１３及び撮像ボリューム７３の断面電流エリア図を表している。超伝導マグネット構造１００と比較して、超伝導マグネット構造１３の磁場成形コイル１１及び超伝導磁場コイル１６はかなり小さい。この正のエリア１１０は、磁場成形コイル１１と超伝導コイル１６の正の電流エリアのそれぞれに対応する。この負のエリア１１２は、磁場成形コイル１１と超伝導コイル１６の負の電流エリアのそれぞれに対応する。多角形の形状をした影付きエリア１１４は傾斜コイル５２を表している。エリア１０４及び１０６によって表したコイルと比較してこの正のエリア１１０及び負のエリア１１２は大きさが縮小されていること、したがって超伝導コイル１６の電磁気力が低減されていることに注目されたい。さらに、エリア１１０及び１１２で表している磁場成形コイル１１もエリア１０４及び１０６によって表したコイルと比べて十分に小さくなっている。
【００３１】
ここで図５を参照すると、典型的な開放アーキテクチャ設計を有するシミュレーション用ＭＲＩシステムに関する超伝導マグネット１２０及び撮像ボリューム１２２の断面電流エリア図を表している。この超伝導マグネット構造１２０の大きさは概ね３９２，０００立方センチメートルであり、これによって静磁場に関する所望の均一性並びに介入手技にとって最低限受容可能なコイル対コイルのギャップすなわち室温ギャップを提供している。正のエリア１２２は、超伝導マグネット構造１２０の超伝導コイルの正の断面エリアに対応している。負のエリア１２４は、超伝導マグネット構造１２０の超伝導コイルの負の電流エリアに対応している。マグネット構造１００の場合と同様に、エリア１２２及び１２４によって表している超伝導コイルを通過する電流の量、並びに超伝導マグネット構造１２０の大きさは、望ましいものではなくかつ製造上実現不可能なものである。
【００３２】
ここで図６を参照すると、本発明の一実施形態に従った開放アーキテクチャを有するＭＲＩシステムに関する超伝導マグネット構造１３０及び撮像ボリューム１３２の断面電流エリア図を表している。超伝導マグネット構造１２０と比較して、超伝導マグネット構造１３０はより小さい超伝導磁場コイルを利用すると共に、さらに上述したように補助的な静磁場成形コイルも利用している。正のエリア１３４はこの超伝導コイルの正の電流エリアに対応し、また正のエリア１３６は超伝導マグネット１３０の磁場成形コイルの正の電流エリアに対応している。負のエリア１３８はこの超伝導コイルの負の電流エリアに対応し、また負のエリア１４０は超伝導マグネット１３０の磁場成形コイルの負の電流エリアに対応している。正のエリア１３４及び１３６と負のエリア１３８及び１４０の大きさが縮小されていること、したがってその電磁気力が低減されることに注目されたい。エリア１３４及び１３８によって表している超伝導コイルは、エリア１２２及び１２４によって表したコイルと比べてかなり小さくなっている。さらに、エリア１３６及び１４０によって表している磁場成形コイルも、エリア１２２及び１２４によって表したコイルと比べてかなり小さくなっている。
【００３３】
したがって、本発明によって、補助的な静磁場成形コイルを利用して、静磁場の均一性の向上を支援しかつＭＲＩシステムの内部の漏洩磁場及びうず電流発生を最小限にしたＭＲＩシステムを提供することができる。本発明によればさらに、ＭＲＩシステムのマグネットに対して複数の冷却方式を提供することができる。
【００３４】
本発明について１つまたは複数の実施形態に関連して記載してきたが、記載した具体的な機構及び技法は本発明の原理の単なる例示に過ぎないこと、並びに添付の特許請求の範囲で規定している本発明の精神及び趣旨を逸脱することなく、記載した方法及び装置に多くの修正を行うことができることを理解されたい。
【図面の簡単な説明】
【００３５】
【図１】補助的な静磁場成形コイルの使用を取り込みかつ冷却のために冷却剤容器を使用している本発明の一実施形態に従った磁気共鳴イメージング（ＭＲＩ）システムのブロック図である。
【図２】補助的な静磁場成形コイルの使用を取り込みかつ伝導冷却を使用している本発明の一実施形態に従ったＭＲＩシステムのブロック図である。
【図３】円筒状のアーキテクチャを有する典型的なＭＲＩシステムに関する超伝導マグネット構造及び撮像ボリュームの断面電流エリア図である。
【図４】円筒状のアーキテクチャを有する本発明の一実施形態に従った図１のＭＲＩシステムに関する超伝導マグネット構造及び撮像ボリュームの断面電流エリア図である。
【図５】典型的な開放アーキテクチャ設計を有するシミュレーション用ＭＲＩシステムに関する超伝導マグネット構造及び撮像ボリュームの断面電流エリア図である。
【図６】開放アーキテクチャを有する本発明の一実施形態に従ったＭＲＩシステムに関する超伝導マグネット構造及び撮像ボリュームの断面電流エリア図である。
【符号の説明】
【００３６】
１０  ＭＲＩシステム
１０’  ＭＲＩシステム
１１  静磁場成形コイル
１２  冷却剤容器
１３  静止マグネット構造
１３’  静止マグネット構造
１４  超伝導マグネット
１６  超伝導磁場コイル
１８  患者ボア
２０  正のコイル
２２  負のコイル
２４  ハウジング
２６  磁場成形コイル巻型
２８  クライオスタット
３０  超伝導マグネット巻型
３２  冷却剤
４０  主磁場シールドコイル・アセンブリ
４１  クライオクーラ
４２  第１のシールド
４４  第２のシールド
５０  傾斜コイル・アセンブリ
５２  傾斜コイル
５４  シールドコイル
６２  １次ＲＦコイル
６４  ＲＦ送信器
６６  シーケンス制御装置
６８  電流パルス発生装置
７０  傾斜コイル制御装置
７２  ＲＦ受信器
７３  撮像ボリューム
７４  画像再構成装置
７６  画像メモリ
７８  ビデオ・プロセッサ
７９  ビデオ・モニタ
９０  冷却用チューブ
９２  冷却剤
１００  超伝導マグネット構造
１０２  撮像ボリューム
１０４  正のエリア
１０６  負のエリア
１０８  傾斜コイル
１１０  正のエリア
１１２  負のエリア
１１４  傾斜コイル
１２０  超伝導マグネット
１２２  撮像ボリューム
１２２  正のエリア
１２４  負のエリア
１３０  超伝導マグネット構造
１３２  撮像ボリューム
１３４  正のエリア
１３６  正のエリア
１３８  負のエリア
１４０  負のエリア
【図１】
2005152632.tif 000003
【図２】
2005152632.tif 000004
【図３】
2005152632.tif 000005
【図４】
2005152632.tif 000006
【図５】
2005152632.tif 000007
【図６】
2005152632.tif 000008
【外国語明細書】
2005152632000001.pdf